【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
ユーザがログインすることで画像処理をさせる画像処理装置であって、
ログインしているユーザを識別するための識別情報を記憶する記憶手段と、
記憶媒体がかざされた場合に、当該記憶媒体を読み取る読取手段と、
前記読取手段で記憶媒体を読み取ることによって得られるユーザを識別するための識別情報と、前記記憶手段によって記憶されているログインしているユーザを識別するための識別情報とに従って、前記読取手段で記憶媒体を読み取ることによって得られるユーザを識別するための識別情報に対応するユーザと異なるユーザが当該画像処理装置にログインしているか否かを判定するログイン判定手段と、
前記ログイン判定手段で、前記読取手段で記憶媒体を読み取ることによって得られるユーザを識別するための識別情報に対応するユーザと異なるユーザで当該画像処理装置にログインしていると判定される場合に、当該ログインしているユーザを変更すべく前読取手段で記憶媒体を読み取ることによって得られるユーザを識別するための識別情報に対応するユーザでログインするログイン手段と、
を備えることを特徴とする画像処理装置。
【請求項２】
前記ログイン手段は、前記読取手段で記憶媒体を読み取ることによって得られるユーザを識別するための識別情報が認証された場合に、当該認証された識別情報により識別されるユーザで当該画像処理装置にログインすることを特徴とする請求項１に記載の画像処理装置。
【請求項３】
前記画像処理装置は、前記読取手段で記憶媒体を読み取ることによって得られるユーザを識別するための識別情報と、当該識別情報に対応するユーザを特定するためのユーザ識別情報とを記憶する認証サーバとネットワーク介して接続されており、
前記読取手段で読み取られることによって得られるユーザを識別するための識別情報を前記認証サーバに送信することで当該識別情報が認証されたか否かを判定する認証判定手段を備え、
前記ログイン手段は、前記認証判定手段で前記識別情報が認証されたと判定される場合に前記認証サーバから得られるユーザ識別情報を用いてログインすることを特徴とする請求項１又は２に記載の画像処理装置。
【請求項４】
前記読取手段で読み取られることによって得られるユーザを識別するための識別情報と、当該識別情報に対応するユーザを特定するためのユーザ識別情報とを記憶するユーザ識別情報記憶手段と、
前記認証判定手段で前記識別情報が認証されなかったと判定される場合に、前記ユーザ識別情報記憶手段で記憶されている識別情報と、前記読取手段で読み取られることによって得られるユーザを識別するための識別情報とで認証する認証手段とを備え、
前記ログイン手段は、前記認証手段で認証された場合に得られるユーザ識別情報を用いてログインすることを特徴とする請求項１乃至３に記載の画像処理装置。
【請求項５】
前記ログイン判定手段で、前記読取手段で読み取られることによって得られるユーザを識別するための識別情報に対応するユーザと異なるユーザがログインしていると判定される場合、前記読取手段の読み取りを停止指示する停止指示手段と、
前記ログイン手段でログインした後に、前記読取手段の読み取りを開始指示する読取開始指示手段とを備えることを特徴とする請求項１乃至４のいずれか１項に記載の画像処理装置。
【請求項６】
前記ログイン手段でログインしたユーザの印刷データの一覧を取得する印刷データ一覧取得手段と、
前記印刷データ一覧取得手段で取得した印刷データの一覧を表示する表示手段と、
ユーザの指示に従って、前記表示手段で表示された印刷データの一覧から選択された印刷データに対して印刷要求する印刷要求手段と、
前記印刷要求手段で要求した印刷データを出力する印刷データ出力手段と
を備えることを特徴とする請求項１乃至５のいずれか１項に記載の画像処理装置。
【請求項７】
前記画像処理装置は、前記印刷データと、当該印刷データを印刷することが可能なユーザのユーザ識別情報とを対応付けて管理する印刷管理サーバとネットワークを介して接続されており、
前記印刷データ一覧取得手段は、前記ログイン手段でログインしたユーザの印刷データの一覧を前記印刷管理サーバから取得することを特徴とする請求項６に記載の画像処理装置。
【請求項８】
前記ログイン判定手段で、前記読取手段で記憶媒体を読み取ることによって得られるユーザを識別するための識別情報に対応するユーザと異なるユーザでログインしていると判定され、前記ログイン手段で、当該ログインしているユーザから前読取手段で記憶媒体を読み取ることによって得られるユーザを識別するための識別情報に対応するユーザでログインした場合に、当該ログインしたユーザと異なるユーザの印刷データを前記印刷データ出力手段で出力をさせないようにする出力制御手段を備えることを特徴とする請求項６又は７に記載の画像処理装置。
【請求項９】
前記出力制御手段で出力をさせないようにした印刷データを保存する印刷データ保存手段と、
前記ログイン手段でログインしたユーザの印刷データを前記印刷データ保存手段で保存しているか否かを判定する印刷データ保存判定手段と、
前記印刷データ出力手段は、前記印刷データ保存判定手段でログインしたユーザの印刷データが保存されていると判定する場合に、当該保存されている印刷データを出力することを特徴とする請求項８に記載の画像処理装置。
【請求項１０】
ユーザによる操作処理がなされない時間をカウントし、当該カウントした時間が所定時間になる場合には、前記ログイン手段でログインしたユーザをログアウトさせるタイマログアウト手段とを備えることを特徴とする請求項１乃至９のいずれか１項に記載の画像処理装置。
【請求項１１】
前記記憶媒体はカード型であり、前記記憶手段又は前記ユーザ識別情報記憶手段で記憶される識別情報は当該カード型の記憶媒体に記憶されているカード識別情報であることを特徴とする請求項１乃至１０のいずれか１項に記載の画像処理装置。
【請求項１２】
ユーザがログインすることで画像処理をさせる画像処理装置の制御方法であって、
書込手段が、ログインしているユーザを識別するための識別情報を記憶部に書き込む書込ステップと、
読取手段が、記憶媒体がかざされた場合に、当該記憶媒体を読み取る読取ステップと、
ログイン判定手段が、前記読取ステップで記憶媒体を読み取ることによって得られるユーザを識別するための識別情報と、前記記憶部に書き込まれているログインしているユーザを識別するための識別情報とに従って、前記読取ステップで記憶媒体を読み取ることによって得られるユーザを識別するための識別情報に対応するユーザと異なるユーザが当該画像処理装置にログインしているか否かを判定するログイン判定ステップと、
ログイン手段が、前記ログイン判定ステップで、前記読取ステップで記憶媒体を読み取ることによって得られるユーザを識別するための識別情報に対応するユーザと異なるユーザで当該画像処理装置にログインしていると判定される場合に、当該ログインしているユーザを変更すべく前読取ステップで記憶媒体を読み取ることによって得られるユーザを識別するための識別情報に対応するユーザでログインするログインステップと、
を備えることを特徴とする画像処理装置の制御方法。
【請求項１３】
ユーザがログインすることで画像処理をさせる画像処理装置を、
ログインしているユーザを識別するための識別情報を記憶する記憶手段と、
記憶媒体がかざされた場合に、当該記憶媒体を読み取る読取手段と、
前記読取手段で記憶媒体を読み取ることによって得られるユーザを識別するための識別情報と、前記記憶手段によって記憶されているログインしているユーザを識別するための識別情報とに従って、前記読取手段で記憶媒体を読み取ることによって得られるユーザを識別するための識別情報に対応するユーザと異なるユーザが当該画像処理装置にログインしているか否かを判定するログイン判定手段と、
前記ログイン判定手段で、前記読取手段で記憶媒体を読み取ることによって得られるユーザを識別するための識別情報に対応するユーザと異なるユーザで当該画像処理装置にログインしていると判定される場合に、当該ログインしているユーザを変更すべく前読取手段で記憶媒体を読み取ることによって得られるユーザを識別するための識別情報に対応するユーザでログインするログイン手段と
して機能させるためのプログラム。
【手続補正２】
【補正対象書類名】明細書
【補正対象項目名】０００５
【補正方法】変更
【補正の内容】
【０００５】
本発明の目的は、適切なユーザでログインをさせて、正しいユーザによって複合機の処理を実行させることができる仕組みを提供することである。
【手続補正３】
【補正対象書類名】明細書
【補正対象項目名】０００６
【補正方法】変更
【補正の内容】
【０００６】
本発明は、ユーザがログインすることで画像処理をさせる画像処理装置であって、ログインしているユーザを識別するための識別情報を記憶する記憶手段と、記憶媒体がかざされた場合に、当該記憶媒体を読み取る読取手段と、前記読取手段で記憶媒体を読み取ることによって得られるユーザを識別するための識別情報と、前記記憶手段によって記憶されているログインしているユーザを識別するための識別情報とに従って、前記読取手段で記憶媒体を読み取ることによって得られるユーザを識別するための識別情報に対応するユーザと異なるユーザが当該画像処理装置にログインしているか否かを判定するログイン判定手段と、前記ログイン判定手段で、前記読取手段で記憶媒体を読み取ることによって得られるユーザを識別するための識別情報に対応するユーザと異なるユーザで当該画像処理装置にログインしていると判定される場合に、当該ログインしているユーザを変更すべく前読取手段で記憶媒体を読み取ることによって得られるユーザを識別するための識別情報に対応するユーザでログインするログイン手段と、を備えることを特徴とする。